(57)【要約】【課題】活用可能な情報の埋没化を防止することができるデータ記憶装置、ファイル編集装置、データ提供システム、及びコンピュータプログラムを提供する。【解決手段】ファイルの編集過程で生成された一又は複数の生成データを記憶するデータ記憶装置は、前記生成データを前記ファイルの構成要素として採用するか否かを判定する採用判定部と、該採用判定部が否と判定した前記生成データを記憶する記憶部とを備える。従って、データ記憶装置は、ファイルの構成要素として採用されなかった生成データを記憶することができる。即ち、データ記憶装置は、不採用データがファイルから棄却されることを防止することができる。そのため、データ記憶装置は、活用可能性のある不採用データの埋没化を防止することができる。【選択図】図３
2017151532.tif 000002
【特許請求の範囲】
【請求項１】
ファイルの編集過程で生成された一又は複数の生成データを記憶するデータ記憶装置であって、
前記生成データを前記ファイルの構成要素として採用するか否かを判定する採用判定部と、
該採用判定部が否と判定した前記生成データを記憶する記憶部と
を備えるデータ記憶装置。
【請求項２】
前記採用判定部は、前記生成データが前記ファイルから削除された場合に否と判定するようにしてある
請求項１に記載のデータ記憶装置。
【請求項３】
外部から受け付けた操作に応じてデータを生成し、生成したデータに基づいてファイルを編集するファイル編集装置であって、
前記データを前記ファイルの構成要素として採用するか否かを識別する識別部と、
前記ファイルの編集の少なくとも一部が完了したか否かを判定する完了判定部と、
該完了判定部が完了したと判定した場合に前記識別部が否と識別したデータを記憶する記憶部と
を備えるファイル編集装置。
【請求項４】
請求項１若しくは２に記載のデータ記憶装置、又は請求項３に記載のファイル編集装置と、
所定条件を満たした場合、前記記憶部に記憶されたデータを読み出す読出部、及び該読出部が読み出した生成データを外部に提供する提供部を有するデータ提供装置と
を備えるデータ提供システム。
【請求項５】
ファイルの編集過程で生成された一又は複数の生成データを、記憶部を有するコンピュータに記憶させるコンピュータプログラムであって、
前記コンピュータに、
前記生成データを前記ファイルの構成要素として採用するか否かを判定する判定ステップと、
該判定ステップで否と判定された前記生成データを前記記憶部に記憶する記憶ステップと
を実行させるコンピュータプログラム。
【発明の詳細な説明】
【技術分野】
【０００１】
本発明は、ファイルの編集過程で生成された生成データを記憶するデータ記憶装置、ファイル編集装置、データ提供システム、及びコンピュータプログラムに関する。
【背景技術】
【０００２】
従来、情報を効率的に活用するための方法が提案されている。特許文献１には、未活用の知的財産権を効率的に活用するための知的財産活用方法が記載されている。特許文献１に記載の知的財産活用方法は、未活用の知的財産権を収集し、収集された知的財産権を含む製品を図面化し、図面化された製品データをネットワーク上にアップロードし、アップロードされた製品データに端末装置からアクセスすることで未活用の知的財産権を活用可能とする。
【先行技術文献】
【特許文献】
【０００３】
【特許文献１】特開２００２−２９７６３７号公報
【発明の概要】
【発明が解決しようとする課題】
【０００４】
一般的に、文書、音楽、画像、映像等の制作物は、製作者が有用と判断した内容で構成されるため、製作者が無用と判断した内容は採用されない。また、このような制作物は、一貫性のある内容で構成されるため、全体として一貫性のない内容は採用されない。ここで、制作者によって採用されなかった不採用内容は活用可能性が否定されたわけではない。例えば、不採用内容は、制作者以外の他の者にとっては有用と判断される場合があり、活用される可能性がある。また例えば、当該製作者又は他の者が不採用内容を基にして新たな制作物を制作することによって、不採用内容が活用される可能性がある。
【０００５】
しかしながら、特許文献１に記載の知的財産活用方法の活用対象である知的財産権の内容は完成結果を表すため、不採用内容が含まれていない。そのため、当該知的財産権が発生するまでの間に、活用可能な情報が埋没している虞がある。
【０００６】
本発明は斯かる事情に鑑みてなされたものであり、その目的は、活用可能な情報の埋没化を防止することができるデータ記憶装置、ファイル編集装置、データ提供システム、及びコンピュータプログラムを提供することにある。
【課題を解決するための手段】
【０００７】
本発明の一態様に係るデータ記憶装置は、ファイルの編集過程で生成された一又は複数の生成データを記憶するデータ記憶装置であって、前記生成データを前記ファイルの構成要素として採用するか否かを判定する採用判定部と、該採用判定部が否と判定した前記生成データを記憶する記憶部とを備える。
【０００８】
本発明の一態様に係るファイル編集装置は、外部から受け付けた操作に応じてデータを生成し、生成したデータに基づいてファイルを編集するファイル編集装置であって、前記データを前記ファイルの構成要素として採用するか否かを識別する識別部と、前記ファイルの編集の少なくとも一部が完了したか否かを判定する完了判定部と、該完了判定部が完了したと判定した場合に前記識別部が否と識別したデータを記憶する記憶部とを備える。
【０００９】
本発明の一態様に係るデータ提供システムは、上述のデータ記憶装置、又は上述のファイル編集装置と、所定条件を満たした場合、前記記憶部に記憶されたデータを読み出す読出部、及び該読出部が読み出した生成データを外部に提供する提供部を有するデータ提供装置とを備える。
【００１０】
本発明の一態様に係るコンピュータプログラムは、ファイルの編集過程で生成された一又は複数の生成データを、記憶部を有するコンピュータに記憶させるコンピュータプログラムであって、前記コンピュータに、前記生成データを前記ファイルの構成要素として採用するか否かを判定する判定ステップと、該判定ステップで否と判定された前記生成データを前記記憶部に記憶する記憶ステップとを実行させる。
【００１１】
なお、本願は、このような特徴的な処理部を備えるデータ記憶装置、ファイル編集装置、及びデータ提供システムとして実現することができるだけでなく、かかる特徴的な処理をステップとするデータ記憶方法、ファイル編集方法、又はデータ提供方法として実現することができる。また、かかるステップをコンピュータに実行させるためのプログラムとして実現することができる。更に、当該データ記憶装置、ファイル編集装置、及びデータ提供システムの一部又は全部を実現する半導体集積回路として実現すること、並びに当該データ記憶装置、ファイル編集装置、又はデータ提供装置を含むその他のシステムとして実現することができる。
【発明の効果】
【００１２】
上記によれば、活用可能な情報の埋没化を防止することができるデータ記憶装置、ファイル編集装置、データ提供システム、及びコンピュータプログラムを提供することができる。
【図面の簡単な説明】
【００１３】
【図１】実施形態１におけるファイル編集装置としてのコンピュータの構成を示すブロック図である。
【図２】文書ファイルの編集画面の一例を示す模式図である。
【図３】不採用データを不採用ＤＢに記憶するときにおけるコンピュータの処理手順を示すフローチャートである。
【図４】実施形態２における編集画面の一例を示す模式図である。
【図５】不採用データを不採用ＤＢに記憶するときにおけるコンピュータの処理手順を示すフローチャートである。
【図６】実施形態３におけるコンピュータが、不採用データを使用者に提供するときにおける処理手順を示すフローチャートである。
【図７】実施形態４におけるコンピュータが、不採用データを使用者に提供するときにおける処理手順を示すフローチャートである。
【図８】実施形態５におけるコンピュータが、不採用データを使用者に提供するときにおける処理手順を示すフローチャートである。
【発明を実施するための形態】
【００１４】
［本発明の実施形態の説明］
最初に本発明の実施態様を列記して説明する。また、以下に記載する実施形態の少なくとも一部を任意に組み合わせてよい。
【００１５】
（１）本発明の一態様に係るデータ記憶装置は、ファイルの編集過程で生成された一又は複数の生成データを記憶するデータ記憶装置であって、前記生成データを前記ファイルの構成要素として採用するか否かを判定する採用判定部と、該採用判定部が否と判定した前記生成データを記憶する記憶部とを備える。
【００１６】
本態様によれば、採用判定部は、ファイルの編集過程で生成された生成データを当該ファイルの構成要素として採用するか否かを判定する。記憶部は、当該採用判定部が否と判定した生成データを記憶する。従って、データ記憶装置は、ファイルの構成要素として採用されなかった生成データ（以下、不採用データと称する）を記憶することができる。即ち、データ記憶装置は、不採用データがファイルから棄却されることを防止することができる。そのため、データ記憶装置は、活用可能性のある不採用データの埋没化を防止することができる。
【００１７】
（２）前記採用判定部は、前記生成データが前記ファイルから削除された場合に否と判定するようにしてある構成が好ましい。
【００１８】
本態様によれば、採用判定部は、生成データがファイルから削除された場合に否と判定する。従って、データ記憶装置は、削除された生成データを不採用データとして記憶することができる。そのため、不採用データがファイルから棄却されることをより確実に防止することができる。
【００１９】
（３）本発明の一態様に係るファイル編集装置は、外部から受け付けた操作に応じてデータを生成し、生成したデータに基づいてファイルを編集するファイル編集装置であって、前記データを前記ファイルの構成要素として採用するか否かを識別する識別部と、前記ファイルの編集の少なくとも一部が完了したか否かを判定する完了判定部と、該完了判定部が完了したと判定した場合に前記識別部が否と識別したデータを記憶する記憶部とを備える。
【００２０】
本態様によれば、識別部は、外部から受け付けた操作に応じて生成したデータをファイルの構成要素として採用するか否かを識別する。完了判定部は、ファイルの編集の少なくとも一部が完了したか否かを判定する。記憶部は、完了判定部が完了したと判定した場合に識別部が否と識別したデータを記憶する。従って、ファイル編集装置は、識別部が識別した不採用データを記憶することができる。即ち、ファイル編集装置は、不採用データが棄却されることを防止することができる。そのため、ファイル編集装置は、活用可能性のある不採用データの埋没化を防止することができる。
【００２１】
（４）本発明の一態様に係るデータ提供システムは、実施態様（１）若しくは（２）に記載のデータ記憶装置、又は実施態様（３）に記載のファイル編集装置と、所定条件を満たした場合、前記記憶部に記憶されたデータを読み出す読出部、及び該読出部が読み出した生成データを外部に提供する提供部を有するデータ提供装置とを備える。
【００２２】
本態様によれば、データ提供装置は所定条件を満たした場合、実施態様（１）又は（２）に記載のデータ記憶装置の記憶部に記憶された生成データを、読出部にて読み出す。データ提供装置は、読出部が読み出した生成データを提供部にて外部に提供する。従って、データ提供システムは、データ記憶装置によって活用可能性のある不採用データの埋没化を防止し、かつデータ提供装置によって当該不採用データを例えば使用者等に提供することができる。そのため、不採用データをより活用可能とすることができる。
同様に、本態様によれば、データ提供装置は所定条件を満たした場合、実施態様（３）に記載のファイル編集装置の記憶部に記憶されたデータを、読出部にて読み出す。データ提供装置は、読出部が読み出したデータを提供部にて外部に提供する。従って、データ提供システムは、ファイル編集装置によって活用可能性のある不採用データの埋没化を防止し、かつデータ提供装置によって当該不採用データを例えば使用者等に提供することができる。そのため、不採用データをより活用可能とすることができる。
【００２３】
（５）前記データ提供装置は、外部からの前記記憶部に対する問い合わせを受け付ける受付部を更に備え、前記読出部は、前記受付部が前記問い合わせを受け付けた場合、受け付けた問い合わせに応じたデータを前記記憶部から読み出すようにしてある構成が好ましい。
【００２４】
本態様によれば、データ提供装置は、データ記憶装置の記憶部に対する外部からの問い合わせを受付部にて受け付ける。読出し部は、受付部が問い合わせを受け付けた場合、受け付けた問い合わせに応じたデータを記憶部から読み出す。従って、データ提供装置は、例えば記憶部の検索に係る問い合わせに応じたデータを使用者に提供することができる。そのため、例えば使用者の要求に応じて不採用データをより柔軟に活用することができる。
【００２５】
（６）前記データ提供装置は、情報を取得する情報取得部を更に備え、前記読出部は、該情報取得部が取得した情報に基づいて前記生成データを前記記憶部から読み出すようにしてある構成が好ましい。
【００２６】
本態様によれば、データ提供装置は、情報取得部にて情報を取得する。読出部は、情報取得部が取得した情報に基づいて生成データを記憶部から読み出す。従って、データ提供装置は、例えば、使用者による入力操作に係る情報を取得することで当該入力操作に応じた不採用データを提供することができ、当該不採用データを有効活用することができる。
【００２７】
（７）前記情報取得部は、前記ファイルとは異なる他のファイルの編集に係る情報を取得するようにしてある構成が好ましい。
【００２８】
本態様によれば、データ提供装置は、データ記憶装置に記憶された生成データに係るファイルとは異なる他のファイルの編集に係る情報を情報取得部にて取得する。読出部は、情報取得部が取得した情報に基づいて生成データを記憶部から読み出す。従って、データ提供装置は例えば、当該他のファイルを編集中に不採用データを提供することができ、当該不採用データを有効活用することができる。
【００２９】
（８）前記情報取得部は、前記ファイルとは異なる他のファイルのアクセスに係る情報を取得するようにしてある構成が好ましい。
【００３０】
本態様によれば、データ提供装置は、データ記憶装置に記憶された生成データに係るファイルとは異なる他のファイルのアクセスに係る情報を情報取得部にて取得する。読出部は、情報取得部が取得した情報に基づいて生成データを記憶部から読み出す。従って、データ提供装置は例えば、当該他のファイルにアクセス中に不採用データを提供することができ、当該不採用データを有効活用することができる。
【００３１】
（９）本発明の一態様に係るコンピュータプログラムは、ファイルの編集過程で生成された一又は複数の生成データを、記憶部を有するコンピュータに記憶させるコンピュータプログラムであって、前記コンピュータに、前記生成データを前記ファイルの構成要素として採用するか否かを判定する判定ステップと、該判定ステップで否と判定された前記生成データを前記記憶部に記憶する記憶ステップとを実行させる。
【００３２】
本態様によれば、コンピュータは、ファイルの編集過程で生成された生成データをファイルの構成要素として採用するか否かを判定する判定ステップを実行する。コンピュータは、判定ステップで否と判定された生成データを記憶部に記憶する記憶ステップを実行する。従って、コンピュータは、ファイルの構成要素として採用されなかった不採用データを記憶することができる。即ち、コンピュータは、不採用データがファイルから棄却されることを防止することができる。そのため、コンピュータは、活用可能性のある不採用データの埋没化を防止することができる。
【００３３】
［本発明の実施形態の詳細］
本発明の実施形態に係るデータ記憶装置、ファイル編集装置、又はデータ提供システムの具体例を以下に図面を参照しつつ説明する。なお、本発明はこれらの例示に限定されるものではなく、特許請求の範囲によって示され、特許請求の範囲と均等の意味及び範囲内での全ての変更が含まれることが意図される。
【００３４】
（実施形態１）
図１は、実施形態１におけるファイル編集装置としてのコンピュータ１の構成を示すブロック図である。コンピュータ１は、パーソナルコンピュータ、タブレット端末、スマートフォン等の計算機が用いられ、使用者からの操作を受け付けて文書ファイルの編集を行う。コンピュータ１は、使用者からの操作によって文書ファイルの編集過程で生成したものの、当該文書ファイルの構成要素として採用しなかったデータを不採用データとして記憶する。
【００３５】
コンピュータ１は、制御部１１、記憶部１２、及び入出力部１４を備え、各部はバスを介して接続されている。制御部１１は例えば、一又は複数のＣＰＵ（Central Processing Unit）、マルチコアＣＰＵ等を備え、コンピュータ１の各部を制御する。なお、制御部１１は、ＧＰＵ（GraphicＳ Processing Unit）を含み、処理内容に応じてＣＰＵ及びＧＰＵの何れか一方又は両方にて演算処理を行ってもよい。
【００３６】
記憶部１２は、ＲＯＭ（Read Only Memory）、ＲＡＭ（Random Access Memory）等の記憶素子であり、不採用データを記憶するための不採用ＤＢ（DataBase）１３を備える。また、記憶部１２には、コンピュータ１を本発明のファイル編集装置として機能させるためのコンピュータプログラム２ａが記憶されている。コンピュータプログラム２ａは各種の記憶媒体２に記憶されており、記憶部１２にインストールされている。
【００３７】
実施形態１に係るコンピュータプログラム２ａは、コンピュータ１が読み取り可能に記録媒体２に記録されている態様でもよい。記憶部１２は、図示しない読出装置によって記録媒体２から読み出されたコンピュータプログラム２ａを記憶する。記録媒体２はＣＤ（Compact Disc）−ＲＯＭ、ＤＶＤ（Digital Versatile Disc）−ＲＯＭ、ＢＤ（Blu-ray（登録商標） Disc）等の光ディスク、フレキシブルディスク、ハードディスク等の磁気ディスク、磁気光ディスク、半導体メモリ等である。また、図示しないネットワークに接続されている図示しない外部コンピュータから本実施形態１に係るコンピュータプログラム２ａをダウンロードし、記憶部１２に記憶させてもよい。
【００３８】
入出力部１４にはディスプレイ３等の出力装置が接続されている。ディスプレイ３は、液晶パネル又は有機ＥＬ（Electroluminescence）パネル等を含んで構成されている一又は複数の表示装置である。また、入出力部１４には、キーボード４及びマウス５等の入力装置が接続されている。
【００３９】
以上のように構成されたコンピュータ１は、キーボード４及びマウス５を介して使用者からの操作を受け付け、受け付けた操作に基づいて文書ファイルの編集を行い、編集結果をディスプレイ３に出力する。使用者は、ディスプレイ３に表示された後述の編集画面６（図２参照）を参照してキーボード４及びマウス５等を用いて文書ファイルを編集する操作を入力する。なお、実施形態１においては、入出力部１４にキーボード４及びマウス５が接続されている例を説明したが、使用者が文書ファイルを編集する操作を入力可能とする構成ならば、例えばスタイラスペン、ソフトウェアキーボード等のような構成を用いてもよい。
【００４０】
図２は、文書ファイルの編集画面６の一例を示す模式図である。実施形態１において使用者は、文書ファイルの構成要素を表すデータを生成し、生成したデータを表す画像（以下、生成データ画像と称する）を編集画面６内にて適宜配置することにより、文書ファイルの編集を行う。編集画面６は例えば、全体領域６１、採用領域６２、不採用領域６３、編集領域６４、生成ボタン６５、及び完了ボタン６６を備える。
【００４１】
全体領域６１は、文書ファイルの内容全体を表示する領域である。採用領域６２及び不採用領域６３は、当該生成データ画像を配置するための領域であり、採用領域６２内に配置された生成データ画像が表すデータは全体領域６１に表示され、不採用領域６３内に配置された生成データ画像が表すデータは全体領域６１に表示されない。即ち、不採用領域６３内に配置された生成データ画像は文書ファイルの構成要素として採用されない。また、採用領域６２の上下方向における生成データ画像の配置位置と、全体領域６１に表示されるデータの順序とは対応関係にあり、採用領域６２の最上部に配置された生成データ画像が表すデータが全体領域６１にて最先に表示され、最下部に配置された生成データ画像が表すデータが全体領域６１にて最後に表示される。例えば、図２中の例においては、生成データ画像７１、７２、及び７３が採用領域６２内に配置され、生成データ画像７４が不採用領域６３内に配置されている。従って、全体領域６１には、生成データ画像７１、７２、７３の順に、各生成データ画像が表すデータが表示され、不採用領域６３に配置された生成データ画像７４が表すデータは表示されない。
【００４２】
編集領域６４は、採用領域６２又は不採用領域６３内に配置された生成データ画像が表すデータの内容を編集するための領域である。編集領域６４には、使用者によって選択された生成データ画像が表すデータが表示される。使用者は例えば、編集を希望するデータが表された生成データ画像を、マウス５等を用いて選択することで当該データを編集領域６４に表示させ、当該編集領域６４にて当該データの編集を行う。図２においては、生成データ画像７１が選択されている。なお、図２中に示したように、コンピュータ１は、採用領域６２又は不採用領域６３内に配置された生成データ画像が選択された場合、当該生成データ画像と全体領域６１内における当該生成データ画像が表すデータ部分とに強調表示等の処理を行ってもよい。コンピュータ１がこのような処理を行うことによって、使用者は、選択された生成データ画像と、選択されていない他の生成データ画像とを容易に区別することができる。
【００４３】
生成ボタン６５は、生成データ画像を生成するためのボタンである。制御部１１は、マウス５等により生成ボタン６５が使用者に押下されたことを検知し、生成データ画像を編集画面６内に生成する。完了ボタン６６は、文書ファイルの編集が完了したか否かを判定するためのボタンである。制御部１１は、マウス５等により完了ボタン６６が使用者に押下されたことを検知し、文書ファイルの保存等の処理を行う。また、制御部１１は、完了ボタン６６が使用者に押下されたことを検知したときに、不採用領域６３内に配置された生成データ画像夫々が表すデータを不採用データとして不採用ＤＢ１３に記憶する。例えば、図２中のように生成データ画像７１〜７４が配置されている場合に完了ボタン６６が押下されたとき、生成データ画像７４が表すデータが不採用データとして不採用ＤＢ１３に記憶される。
【００４４】
ここで、コンピュータ１の制御部１１は、各生成データ画像が採用領域６２又は不採用領域６３に配置されていることを識別可能に構成されている。即ち、制御部１１は、生成データ画像が文書ファイルの構成要素として採用されているか否かを識別する。このとき、制御部１１は識別部として機能する。また、制御部１１は、各生成データ画像の配置位置を検出可能に構成されており、生成データ画像における採用領域６２の上下方向の順序が変更された場合、全体領域６１の表示内容も変更する。
【００４５】
以上のように構成されたコンピュータ１において使用者は、生成ボタン６５を押下して生成データ画像を編集画面６内に表示させる。その後、使用者は、生成データ画像が表すデータを編集領域６４内で編集し、採用領域６２又は不採用領域６３内に配置する。ここで、上述したように採用領域６２の最上部に配置された生成データ画像から最下部に配置された生成データ画像までの各データが順次、全体領域６１に表示される。使用者は、生成データ画像の配置を適宜変更することで文書ファイルの編集を行い、当該文書ファイルの編集が完了した場合、完了ボタン６６を押下する。コンピュータ１は、完了ボタン６６の押下されたときに不採用領域５３に配置された生成データ画像夫々を不採用データとして不採用ＤＢ１３に記憶する。従って、コンピュータ１は、使用者によって完了ボタン６６が押下された場合に、不採用領域６３内に生成データ画像が存在するか否かにより、文書ファイルの構成要素とすべきでないデータが存在するか否かを判定する。
【００４６】
図３は、不採用データを不採用１３に記憶するときにおけるコンピュータ１の処理手順を示すフローチャートである。コンピュータ１の制御部１１は、使用者によって完了ボタン６６が押下されたか否かを判定する（ステップＳ１）。完了ボタン６６が押下されていないと判定した場合（Ｓ1：ＮＯ）、制御部１１は完了ボタン６６が押下されるまで処理を待つ。
【００４７】
完了ボタン６６が押下されたと判定した場合（Ｓ１：ＹＥＳ）、制御部１１は不採用データが存在するか否かを判定する（ステップＳ２）。具体的には、制御部１１は不採用領域６３に配置された生成データ画像が存在するか否かを判定する。
【００４８】
不採用データが存在すると判定した場合（Ｓ２：ＹＥＳ）、制御部１１は不採用データを不採用ＤＢ１３に記憶する（ステップＳ３）。その後、制御部１１はステップＳ２に処理を戻す。このとき、制御部１１は先のステップＳ２で判定した不採用データとは異なる他の不採用データが存在するか否かを判定する。一方、不採用データが存在しないと判定した場合（Ｓ２：ＮＯ）、制御部１１は処理を終える。
【００４９】
コンピュータ１は、以上の処理を行うことによって、文書ファイルの全ての編集が完了した場合に不採用領域６３内に存在する生成データ画像が表すデータ、即ち文書ファイルの構成要素として採用しないと識別されたデータを不採用ＤＢ１３に記憶することができる。従って、コンピュータ１は、使用者によって文書ファイルの構成要素として採用されなかった情報を埋没化させることなく活用すべく記憶することができる。
【００５０】
（変形例１）
実施形態１においては、コンピュータ１が文書ファイルを編集する機能及び不採用データを記憶する機能を有しているファイル編集装置に相当する例について説明した。変形例１においては、コンピュータ１が上述のような編集画面６を有する他のワードプロセッサソフトウェアに対して使用者の操作を検知することにより不採用データを不採用ＤＢ１３に記憶する例を説明する。変形例１においてコンピュータ１はデータ記憶装置に相当する。変形例１においては、コンピュータ１の制御部１１は、図３に示した処理内容とは異なるため、以下ではかかる相違点について主に説明する。なお、以下で説明する構成及び作用を除くその他の構成及び作用は実施形態１と同様であるため、同様の構成に関する詳細な説明は簡潔のため省略する。
【００５１】
コンピュータ１の制御部１１は、編集画面６を有する他のワードプロセッサソフトウェアに対する操作を検知することにより、図３中のステップＳ１及びステップＳ２の処理を実行する。制御部１１は例えば、当該編集画面６がアクティブか否かを検知し、アクティブである場合にいわゆるキーボードフック又はマウスフック等によりキーボード４又はマウス５からの入力を検知することにより、当該ワードプロセッサソフトウェアに対する操作を検知することができる。よって、当該ステップＳ１の判定及びステップＳ２の判定を実現することができる。変形例１の制御部１１は図３中のステップＳ２の処理でコンピュータプログラム２ａを実行することにより、採用判定部として機能する。このような処理を行うことによっても、実施形態１と同様の効果を得ることができる。
【００５２】
（実施形態２）
実施形態２においては、コンピュータ１が実施形態１とは異なる編集画面を有する場合に不採用データを記憶する例について説明する。なお、以下で説明する構成及び作用を除くその他の構成及び作用は実施形態１と同様であるため、同様の構成に関する詳細な説明は簡潔のため省略する。
【００５３】
図４は、実施形態２における編集画面８の一例を示す模式図である。編集画面８は略全体が編集領域であり、使用者はキーボード４等を用いて当該編集領域内に文字を入力したり、入力された文字を削除したりすることによって、文書ファイルの編集を行う。実施形態２において、コンピュータ１は、文書ファイルの編集中に削除された文字列を不採用データとして不採用ＤＢ１３に記憶する。
【００５４】
図５は、不採用データを不採用ＤＢ１３に記憶するときにおけるコンピュータ１の処理手順を示すフローチャートである。コンピュータ１の制御部１１は、使用者がキーボード４の削除キーを押下したか否かを判定する（ステップＳ１１）。削除キーは例えば、キーボード４に設けられている「Ｄｅｌｅｔｅキー」及び「ＢａｃｋＳｐａｃｅキー」である。制御部１１は例えば、入出力部１４を介して削除キーを表す信号が入力されたか否かにより判定を行う。制御部１１は削除キーが押下されていないと判定した場合（ステップＳ１１：ＮＯ）、制御部１１は、使用者によって削除キーが押下されるまで処理を待つ。
【００５５】
削除キーが押下されたと判定した場合（ステップＳ１１：ＹＥＳ）、制御部１１は削除キーで削除されるべき情報を不採用データの構成要素として記憶部１２に一時記憶する（ステップＳ１２）。ステップＳ１２において制御部１１は例えば、削除キーに応じた文字又は文字列を切り取り、記憶部１２に一時的に記憶しておく。削除キーに応じた文字とは例えば、「Ｄｅｌｅｔｅキー」が削除キーであった場合、キャレット直前の１文字又は範囲選択された文字列であり、「Ｂａｃｋｓｐａｃｅキー」が削除キーであった場合、キャレット直後の文字又は範囲選択された文字列である。制御部１１はステップＳ１２の処理でコンピュータプログラム２ａを実行することにより、識別部として機能する。
【００５６】
その後、制御部１１は周辺情報を取得する（ステップＳ１３）。制御部１１は、例えばキャレットの直前及び直後にある特定の区切り文字までの文字列をコピーし、記憶部１２に一時的に記憶しておく。特定の区切り文字とは例えば、句読点を表す文字である。なお、ステップＳ１３による処理は必須ではない。
【００５７】
次いで、制御部１１は、使用者が削除動作の終了を示す操作を行ったか否かを判定する（ステップＳ１４）。削除動作の終了を示す操作とは、削除動作が継続して行われないことを示す操作であり、例えば削除キー以外のキーボード４の操作、及びマウス５のクリックの操作である。制御部１１は例えば、入出力部１４を介して当該削除動作の終了を示す操作を表す信号が入力されたか否かにより判定を行う。制御部１１はステップＳ１４の処理でコンピュータプログラム２ａを実行することにより完了判定部として機能する。
【００５８】
削除動作の終了を示す操作がなかったと判定した場合（ステップＳ１４：ＮＯ）、制御部１１はステップＳ１１に処理を戻す。そして、コンピュータ１は再びステップＳ１２の処理を行うに際して、先に一時記憶した文字列又は文字に追加するように対象の文字列又は文字の一時記憶を行う。また、コンピュータ１は、再びステップＳ１３の処理を行うに際して、周辺情報の更新を行う。
【００５９】
削除動作の終了を示す操作があったと判定した場合（ステップＳ１４：ＹＥＳ）、制御部１１はステップＳ１２で取得された不採用データ及びステップＳ１３で取得された周辺情報夫々を表す文字列を不採用データＤＢ１３に記憶し（ステップＳ１５）、処理を終える。制御部１１は、文書ファイルの全ての編集が完了するまで、ステップＳ１１〜ステップＳ１５の処理を再帰的に実行する。
【００６０】
制御部１１は、以上のステップＳ１１〜ステップＳ１５の処理を行うことによって、複数回にわたって削除キーが押下された場合に、押下された回数分の文字列を一単位の不採用データとして不採用データＤＢ１３に記憶することができ、最後に押下されたときにおける周辺情報を不採用データＤＢ１３に記憶することができる。また、制御部１１は、以上のステップＳ１１〜ステップＳ１５の処理を行うことによって、文書ファイルの編集の一部が完了した場合に不採用データを不採用ＤＢ１３に記憶することができる。
【００６１】
以上の構成及び処理を行うコンピュータ１は、実施形態１同様、不採用データを記憶することができる。即ち、コンピュータ１は、使用者によって文書ファイルの構成要素として採用されなかった情報を埋没化させることなく活用すべく記憶することができる。
【００６２】
（変形例２）
実施形態２においては、コンピュータ１が文書ファイルを編集する機能及び不採用データを記憶する機能を有しているファイル編集装置に相当する例について説明した。変形例２においては、コンピュータ１が上述のような編集画面８を有する他のワードプロセッサソフトウェアに対して使用者の操作を検知することにより不採用データを不採用ＤＢ１３に記憶する例を説明する。変形例２においてコンピュータ１はデータ記憶装置に相当する。変形例２においては、コンピュータ１の制御部１１は、図５に示した処理内容とは異なるため、以下ではかかる相違点について主に説明する。なお、以下で説明する構成及び作用を除くその他の構成及び作用は実施形態２と同様であるため、同様の構成に関する詳細な説明は簡潔のため省略する。
【００６３】
コンピュータ１の制御部１１は、編集画面８を有する他のワードプロセッサソフトウェアに対する操作を検知することにより、図５中のステップＳ１１及びステップＳ１４の処理を実行する。制御部１１は例えば、当該編集画面８がアクティブであるか否かを検知し、アクティブである場合にいわゆるキーボードフック又はマウスフック等によりキーボード４又はマウス５からの入力を検知することにより当該ワードプロセッサソフトウェアに対する操作を検知することができる。よって、当該ステップＳ１１の判定及びステップＳ１４の判定を実現することができる。変形例１の制御部１１は図５中のステップＳ１４の処理でコンピュータプログラム２ａを実行することにより、採用判定部として機能する。このような処理を行うことによっても、実施形態２と同様の効果を得ることができる。
【００６４】
（実施形態３）
実施形態１及び２並びに変形例１及び２においては、コンピュータ１が不採用データを活用可能とすべく不採用データを不採用ＤＢ１３に記憶する例を説明した。実施形態３においては、コンピュータ１が使用者からの要求に応じて不採用ＤＢ１３に記憶された不採用データを提供する例について説明する。なお、以下で説明する構成及び作用を除くその他の構成及び作用は実施形態１若しくは２又は変形例１若しくは２と同様であるため、同様の構成に関する詳細な説明は簡潔のため省略する。
【００６５】
実施形態３におけるコンピュータ１は、キーボード４又はマウス５等の入力装置を介して、使用者から不採用ＤＢ１３に記憶された不採用データを検索する問い合わせを受け付ける。その後、コンピュータ１は、受け付けた問い合わせに基づいて不採用ＤＢ１３から不採用データを読み出し、読み出した結果をディスプレイ３等の出力装置に出力することで使用者に不採用データを提供する。ここで、コンピュータ１は、上述のようにデータ記憶装置又はファイル編集装置に相当し、更にデータ提供装置にも相当する。従って、実施形態３におけるコンピュータ１は、データ提供システムに相当する。なお、コンピュータ１は、コンピュータプログラム２ａを実行することにより、データ提供装置及びデータ提供システムとして機能する。以下、コンピュータ１が不採用データを使用者に提供するときに行う処理手順を詳細に説明する。
【００６６】
図６は実施形態３におけるコンピュータ１が、不採用データを使用者に提供するときにおける処理手順を示すフローチャートである。コンピュータ１の制御部１１は、使用者から不採用データを検索する問い合わせを受け付けたか否かを判定する（ステップＳ２１）。制御部１１は例えば、キーボード４を介して使用者から問い合わせ言語が入力されたか否かにより判定を行う。制御部１１はステップＳ２１の処理でコンピュータプログラム２ａを実行することにより受付部として機能する。問い合わせを受け付けていないと判定した場合（Ｓ２１：ＮＯ）、制御部１１は当該問い合わせを受け付けるまで処理を待つ。
【００６７】
問い合わせを受け付けたと判定した場合（Ｓ２１：ＹＥＳ）、制御部１１は受け付けた問い合わせに基づいて、データ読み出し処理を実行する（ステップＳ２２）。データ読み出し処理は例えば、受け付けた問い合わせ言語に応じて不採用ＤＢ１３を検索する種々の公知の検索処理によって、問い合わせに対応する不採用データを検索し、検索した不採用データを不採用ＤＢ１３から読み出す処理である。制御部１１はステップＳ２２の処理で制御プログラム２ａを実行することにより、読出部として機能する。
【００６８】
次いで、制御部１１は該当データが存在するか否かを判定する（ステップＳ２３）。制御部１１は例えば、当該データ読み出し処理によって不採用データを読み出すことができたか否かにより判定を行う。該当データが存在しないと判定した場合（Ｓ２３：ＮＯ）、制御部１１は処理を終える。なお、制御部１１は受け付けた問い合わせに対応する不採用データが不採用ＤＢ１３に記憶されていない旨のメッセージをディスプレイ３等の出力装置に出力してもよい。
【００６９】
該当データが存在すると判定した場合（Ｓ２３：ＹＥＳ）、制御部１１は該当データを出力し（ステップＳ２４）、処理を終える。制御部１１は例えば、当該データ読み出し処理によって読み出された不採用データをディスプレイ３等の出力装置に出力してもよい。制御部１１はステップＳ２４の処理で制御プログラム２ａを実行することにより、提供部として機能する。
【００７０】
以上の構成及び処理によって、コンピュータ１は、不採用データの埋没化を防止し、かつ当該不採用データを使用者に提供することができる。そのため、不採用データをより活用可能とすることができる。
【００７１】
（実施形態４）
実施形態３においては、コンピュータ１が使用者からの問い合わせに応じて不採用データを提供する例について説明した。実施形態４においては、コンピュータ１が使用者によるファイルの編集操作を検知し、検知した編集操作に応じて不採用データを使用者に提供する例について説明する。なお、以下で説明する構成及び作用を除くその他の構成及び作用は実施形態３と同様であるため、同様の構成に関する詳細な説明は簡潔のため省略する。
【００７２】
実施形態４におけるコンピュータ１は、使用者が文書ファイルを編集する操作を検知し、当該文書ファイルの内容に対応する不採用データを不採用データＤＢ１３から読み出して、ディスプレイ３等の出力装置に出力することにより、使用者に不採用データを提供する。以下、実施形態４におけるコンピュータ１が不採用データを提供するときに行う処理手順を詳細に説明する。
【００７３】
図７は、実施形態４におけるコンピュータ１が不採用データを使用者に提供するときにおける処理手順を示すフローチャートである。なお、図７中のステップＳ３３〜ステップＳ３５の処理は、実施形態３における図６中のステップＳ２２〜ステップＳ２４の処理と同様であるため、異なる処理内容について主に説明し同様の処理内容については説明を省略する。
【００７４】
コンピュータ１の制御部１１は、使用者による文書ファイルの編集操作を検知したか否かを判定する（ステップＳ３１）。制御部１１は例えば、文書ファイルの編集画面がアクティブであるか否かの判定を行い、アクティブである場合にいわゆるキーボードフック又はマウスフック等によりキーボード４又はマウス５からの入力を検知する。文書ファイルの編集操作を検知していないと判定した場合（Ｓ３１：ＮＯ）、制御部１１は文書ファイルの編集操作を検知するまで処理を待つ。
【００７５】
文書ファイルの編集操作を検知したと判定した場合（Ｓ３１：ＹＥＳ）、制御部１１は、当該文書ファイルの編集情報を取得する（ステップＳ３２）。ファイルの編集情報とは例えば、当該文書ファイルの内容、検知した編集操作によって新たに入力された文字列等である。制御部１１はステップＳ３２の処理で制御プログラム２ａを実行することにより、情報取得部として機能する。
【００７６】
その後、制御部１１は取得した編集情報に基づいて、データ読み出し処理を実行する（ステップＳ３３）。制御部１１は例えば、取得した編集情報に類似する内容を有する不採用データを不採用ＤＢ１３から読み出す。また、制御部１１は例えば、取得した編集情報に類似する内容の文書ファイルから生成された不採用データを不採用ＤＢ１３から読み出す。このとき、不採用ＤＢ１３には予め、不採用データに対応付けて生成元の文書ファイルに係る情報が記憶されていればよい。なお、内容が類似しているか否かは、文書の類似度を計算する種々の公知の手法を用いることができる。ここで、制御部１１はステップＳ３３の処理において、検知した編集操作の対象となる文書ファイルとは異なる文書ファイルから生成された不採用データを読み出すように構成されている。その後、制御部１１はステップＳ３４以降に処理を進める。
【００７７】
以上の構成及び処理によって、コンピュータ１は例えば、文書ファイルを編集中に当該文書ファイルとは異なるファイルから生成された不採用データを使用者に提供することができる。使用者は提供された不採用データを参照することで、例えば当該文書ファイルの編集作業を促進することができる。従って、コンピュータ１は不採用データを有効活用することができる。
【００７８】
（実施形態５）
実施形態４においては、コンピュータ１が使用者によるファイルの編集操作を検知し、検知した編集操作に応じて不採用データを使用者に提供する例について説明した。実施形態５においては、コンピュータ１が使用者によるファイルのアクセスを検知し、アクセスを検知したファイルの内容に応じて不採用データを使用者に提供する例について説明する。なお、以下で説明する構成及び作用を除くその他の構成及び作用は実施形態４と同様であるため、同様の構成に関する詳細な説明は簡潔のため省略する。
【００７９】
実施形態５におけるコンピュータ１は、使用者による文書が含まれるファイルへのアクセスを検知し、当該文書の内容に対応する不採用データを不採用データＤＢ１３から読み出して、ディスプレイ３等の出力装置に出力することにより、使用者に不採用データを提供する。文書が含まれるファイルとは例えば、Webページ、文書ファイル等である。以下、実施形態５におけるコンピュータ１が不採用データを提供するときに行う処理手順を詳細に説明する。
【００８０】
図８は、実施形態５におけるコンピュータ１が不採用データを使用者に提供するときにおける処理手順を示すフローチャートである。なお、図８中のステップＳ４３〜ステップＳ４５の処理は、実施形態４における図７中のステップＳ３３〜ステップＳ３５の処理と同様であるため、異なる処理内容について主に説明し同様の処理内容については説明を省略する。
【００８１】
コンピュータ１の制御部１１は、使用者による文書が含まれるファイルへのアクセスを検知したか否かを判定する（ステップＳ４１）。制御部１１は例えば、当該ファイルの閲覧画面等がアクティブであるか否かにより判定を行う。当該ファイルへのアクセスを検知していないと判定した場合（Ｓ４１：ＮＯ）、制御部１１は当該ファイルへのアクセスを検知するまで処理を待つ。
【００８２】
当該ファイルへのアクセスを検知したと判定した場合（Ｓ４１：ＹＥＳ）、制御部１１は、アクセス情報を取得する（ステップＳ４２）。アクセス情報とは例えば、当該ファイルの内容に関する情報、当該ファイルへアクセスした日時等の情報である。制御部１１はステップＳ４２の処理でコンピュータプログラム２ａを実行することにより、情報取得部として機能する。
【００８３】
その後、制御部１１は取得したアクセス情報に基づいて、データ読み出し処理を実行する（ステップS４３）。例えば、アクセス情報がアクセスしたファイルの内容に関する情報であった場合、制御部１１は当該ファイルの内容に類似する内容を有する不採用データを不採用ＤＢ１３から読み出す。また、例えば、アクセス情報が当該ファイルへのアクセスした日時であった場合、制御部１１は、当該日時から所定期間だけ遡った日時までに記憶された不採用データを不採用ＤＢ１３から読み出す。このとき、不採用ＤＢ１３には予め、不採用データに対応付けて不採用ＤＢ１３への記憶日時を記憶されていればよい。
【００８４】
以上の構成及び処理によって、コンピュータ１は例えば、文書を含むファイルを閲覧中に当該ファイルとは異なるファイルから生成された不採用データを使用者に提供することができる。使用者は提供された不採用データを参照することで、例えば閲覧中のファイルの内容と当該不採用データの内容とで新たな着想を得ることが可能となる。従って、コンピュータ１は不採用データを有効活用することができる。
【００８５】
なお、実施形態４及び５においては、コンピュータ１が上述の編集情報又はアクセス情報を取得する例について説明したがその他の情報を取得してもよい。例えば、コンピュータ１の制御部１１が、使用者による文字の入力操作を検知可能に構成されており、このように構成された制御部１１は使用者により入力された文字列に応じて不採用データを不採用ＤＢ１３から読み出すようにしてもよい。このように構成されたコンピュータ１は例えば、ブレインストーミング等の発想を支援するソフトウェアにおいて当該コンピュータ１の使用者が着想を表す文字列を入力した場合、当該文字列の内容に応じた不採用データを使用者に提供することができる。従って、コンピュータ１は不採用データを有効活用することができる。
また例えば、コンピュータ１が外部の他のコンピュータとネットワークを介して通信可能に構成されており、制御部１１が、当該他のコンピュータから送信された情報を取得し、取得した情報に応じて不採用データを不採用ＤＢ１３から読み出すようにしてもよい。このように構成されたコンピュータ１は例えば、ブレインストーミング等の発想を支援するソフトウェアにおいて当該他のコンピュータの使用者がコンピュータ１に送信した着想を表す文字列の内容に応じた不採用データを使用者に提供することができる。従って、コンピュータ１は不採用データを有効活用することができる。
【００８６】
なお、実施形態３〜５においては、コンピュータ１がデータ提供システムに相当する例を説明したが、データ記憶装置又はファイル編集装置に相当する構成と、データ提供装置に相当する構成とが別体であってもよい。例えば、データ提供装置に相当する第１コンピュータが、データ記憶装置に相当する第２コンピュータとネットワークを介して接続されていてもよい。その場合にあっては、上述のデータ読出処理は第１コンピュータが第２コンピュータと通信を行うことで実行するようにすればよい。
【００８７】
また、実施形態３〜５においては、コンピュータ１は使用者に対して不採用データを提供することを説明したが、その他の対象に不採用データを提供してもよい。その他の対象とは例えば、コンピュータ１の使用者以外の他者、コンピュータ１以外の外部機器等である。また、コンピュータ１による不採用データの提供態様によって、不採用ＤＢ１３には不採用データに対応付けて種々の情報が記憶されていてもよい。
【００８８】
更に、実施形態１〜５及び変形例１及び２においては、文書ファイルを編集対象として説明したが、編集作業が伴うファイルであればどのようなファイルでもよく、音楽、画像、又は映像を含むファイルが編集対象であっても同様の効果を得ることができる。
【符号の説明】
【００８９】
１    コンピュータ
２    記録媒体
２ａ    コンピュータプログラム
３    ディスプレイ
４    キーボード
５    マウス
６，８    編集画面
１１    制御部
１２    記憶部
１３    不採用ＤＢ
１４    入出力部
６１    全体領域
６２    採用領域
６３    不採用領域
６４    編集領域
６５    生成ボタン
６６    完了ボタン
７１，７２，７３，７４    生成データ画像
【図１】
2017151532.tif 000003
【図２】
2017151532.tif 000004
【図３】
2017151532.tif 000005
【図４】
2017151532.tif 000006
【図５】
2017151532.tif 000007
【図６】
2017151532.tif 000008
【図７】
2017151532.tif 000009
【図８】
2017151532.tif 000010